(57)【要約】【課題】燃料噴射弁の噴射量に関する個体差を適切に把握し噴射量の補正を行う。【解決手段】燃料を噴射する燃料噴射弁１３と、燃料噴射弁１３を制御する燃料噴射制御手段３１と、燃焼音の情報を検出する燃焼情報取得手段３２と、燃焼情報取得手段３２により取得された燃焼音の情報と燃料噴射制御手段３１により指示された燃料の噴射量を記憶する燃焼記憶制御手段３３とを備え、燃料噴射制御手段３１は、燃料噴射弁１３に対して１サイクル中における主たる燃料噴射であるメイン噴射よりも進角した時期に行う微小噴射である副噴射を行う指示を行い、燃焼情報取得手段３２は、燃料噴射制御手段３１が副噴射の噴射量を初期値から複数回に亘り減量するとともに燃焼音の変化挙動の情報を副噴射量の減量の度に取得し、燃焼記憶制御手段３３は、燃焼音の大きさが所定判定値を下回る領域のうち、副噴射の噴射量が最も小さい噴射量を最小噴射量として決定する圧縮自己着火式エンジンの制御装置とした。【選択図】図２
2017020436.tif 000002
【特許請求の範囲】
【請求項１】
燃料を噴射する燃料噴射弁と、
前記燃料噴射弁を制御する燃料噴射制御手段と、
燃焼室からの燃焼音の情報を検出する燃焼情報取得手段と、
前記燃焼情報取得手段により取得された燃焼音の情報と前記燃料噴射制御手段により指示された燃料の噴射量を記憶する燃焼記憶制御手段と、を備え、
前記燃料噴射制御手段は、前記燃料噴射弁に対して１サイクル中における主たる燃料噴射であるメイン噴射よりも進角した時期に行う微小噴射である副噴射を行う指示を行い、
前記燃焼情報取得手段は、前記燃料噴射制御手段が前記副噴射の噴射量を初期値から複数回に亘り減量するとともに前記燃焼音の変化挙動の情報を前記副噴射量の減量の度に取得し、
前記燃焼記憶制御手段は、取得した前記変化挙動の情報に基づき前記燃料噴射弁が噴射し得る最小噴射量を決定する
圧縮自己着火式エンジンの制御装置。
【請求項２】
前記燃焼記憶制御手段は、前記変化挙動の情報から前記燃焼音が最低となった際の前記副噴射の噴射量を前記最小噴射量として決定する
請求項１に記載の圧縮自己着火式エンジンの制御装置。
【請求項３】
前記燃焼記憶制御手段は、前記変化挙動の情報から前記燃焼音の大きさが所定判定値を下回る領域のうち、前記副噴射の噴射量が最も小さい噴射量を前記最小噴射量として決定する
請求項１に記載の圧縮自己着火式エンジンの制御装置。
【請求項４】
前記燃焼情報取得手段は、前記変化挙動の情報から前記副噴射の噴射量が減量された後の燃焼音［Ｎ（ｎ）］から減量される前の燃焼音［Ｎ（ｎ−１）］を引いた差［Ｎ（ｎ）−Ｎ（ｎ−１）］を取得し、
前記後の燃焼音［Ｎ（ｎ）］が所定判定値以上且つ前記差［Ｎ（ｎ）−Ｎ（ｎ−１）］が正又はゼロであれば前記最小噴射量を減量更新せず、
前記後の燃焼音［Ｎ（ｎ）］が所定判定値未満又は前記差［Ｎ（ｎ）−Ｎ（ｎ−１）］が負であれば前記最小噴射量を減量更新する
請求項１〜３の何れか１項に記載の圧縮自己着火式エンジンの制御装置。
【請求項５】
前記副噴射の噴射量が所定限界値に至れば前記変化挙動の情報の取得を終了する
請求項４に記載の圧縮自己着火式エンジンの制御装置。
【請求項６】
前記所定限界値は、噴射量ゼロとする
請求項５に記載の圧縮自己着火式エンジンの制御装置。
【請求項７】
前記燃焼情報取得手段は筒内圧検知手段と圧力騒音変換手段であり、
前記筒内圧検知手段が取得した前記燃焼室の筒内圧を前記圧力騒音変換手段が前記燃焼音の情報に変換する
請求項１〜６の何れか１項に記載の圧縮自己着火式エンジンの制御装置。
【発明の詳細な説明】
【技術分野】
【０００１】
この発明は、エンジンの制御装置に関し、特に、燃料噴射弁の個体差を反映した燃料噴射を行うエンジンの制御装置に関する。
【背景技術】
【０００２】
燃料を噴射する燃料噴射弁（インジェクタ）には、その製造時の寸法誤差等によって噴射量にばらつき、すなわち個体差があるのが一般的である。エンジンに組み込まれて使用されるインジェクタは、このような噴射量の個体差が、予め決められた許容値以下であることが検査され、所定の性能を発揮することが確認されたものが用いられる。
【０００３】
また、その個体差が許容値以下である場合にも、エンジンを搭載した車両の組立ラインオフ時や、その後の車両の使用時に、インジェクタの噴射量の指示値に対する実際の噴射量の学習が行われる。さらに、インジェクタの経時劣化によっても個体差は発生するので、所定の時期毎に学習を行う場合もある。それらの学習内容は、その後の制御に活用され、個体差を反映した噴射量の補正が行われる。
【０００４】
個体差の学習は、例えば、アイドル時や減速時等の低回転時において、インジェクタの噴射量の指示値とそれに伴う発生トルクとの関係により、噴射量の指示値と実際の噴射量との差（個体差）を把握することにより行うことができる。
【０００５】
例えば、特許文献１では、ディーゼルエンジンにおいて、燃料のメイン噴射とは別に、メイン噴射に対して進角した時期に行う微小噴射であるパイロット噴射を行い、微小噴射を行うことによってエンジンの燃焼音が増減することに着目した学習及び補正を行っている。具体的には、インジェクタに対して微小噴射を指示した場合と指示しなかった場合とを比較して、エンジンの燃焼音が期待されるほどに変化（増大）していない場合は、指示された微小噴射は実際には行われていないか不足しており、インジェクタが劣化していると判定する。この場合、パイロット噴射、すなわち、微小噴射の噴射量を、初期設定値から増量する補正を行っている。
【先行技術文献】
【特許文献】
【０００６】
【特許文献１】特開２００７−１８７１４９号公報（明細書第８頁段落００４０、００４１等参照）
【発明の概要】
【発明が解決しようとする課題】
【０００７】
インジェクタの噴射量の指示値とそれに伴う発生トルクとの関係により、インジェクタの個体差を学習する従来の手法では、その学習を行う際の機関の状態、例えば、エンジンの温度やフリクション、燃焼状態等によって発生トルクが変動する。このため、正確な燃料の噴射量を把握するには限界がある。
【０００８】
特に、ディーゼルエンジンにおいて、メイン噴射に対して進角した時期に副噴射としての微小噴射を行う場合、インジェクタの噴射量には、より高精度な設定が要求される。インジェクタの噴射量が正確でないと、副噴射として行う微小噴射の噴射量が厳格に管理できないので、エンジンの騒音の増加や排ガスの悪化を招くので好ましくない。
【０００９】
なお、特許文献１の手法では、微小噴射を指示した場合と指示しなかった場合の燃焼音の比較によりインジェクタの劣化及び微小噴射の設定値が適切か否かを判定しているが、この手法では適切な噴射量を確保することができる微小噴射量の下限値（最小噴射量）を算出することはできない。また、燃焼音の変化等に基づきインジェクタが劣化していると判定された場合に、インジェクタの噴射量に関する具体的な補正量については開示されていない。
【００１０】
そこで、この発明の課題は、燃料噴射弁の噴射量に関する個体差を適切に把握し噴射量の補正を行うことである。
【課題を解決するための手段】
【００１１】
上記の課題を解決するために、この発明は、燃料を噴射する燃料噴射弁と、前記燃料噴射弁を制御する燃料噴射制御手段と、燃焼室からの燃焼音の情報を検出する燃焼情報取得手段と、前記燃焼情報取得手段により取得された燃焼音の情報と前記燃料噴射制御手段により指示された燃料の噴射量を記憶する燃焼記憶制御手段と、を備え、前記燃料噴射制御手段は、前記燃料噴射弁に対して１サイクル中における主たる燃料噴射であるメイン噴射よりも進角した時期に行う微小噴射である副噴射を行う指示を行い、前記燃焼情報取得手段は、前記燃料噴射制御手段が前記副噴射の噴射量を初期値から複数回に亘り減量するとともに前記燃焼音の変化挙動の情報を前記副噴射量の減量の度に取得し、前記燃焼記憶制御手段は、取得した前記変化挙動の情報に基づき前記燃料噴射弁が噴射し得る最小噴射量を決定する圧縮自己着火式エンジンの制御装置を採用した。
【００１２】
ここで、前記燃焼記憶制御手段は、前記変化挙動の情報から前記燃焼音が最低となった際の前記副噴射の噴射量を前記最小噴射量として決定する構成を採用することができる。
【００１３】
あるいは、前記燃焼記憶制御手段は、前記変化挙動の情報から前記燃焼音の大きさが所定判定値を下回る領域のうち、前記副噴射の噴射量が最も小さい噴射量を前記最小噴射量として決定する構成を採用することができる。
【００１４】
前記燃焼情報取得手段は、前記変化挙動の情報から前記副噴射の噴射量が減量された後の燃焼音［Ｎ（ｎ）］から減量される前の燃焼音［Ｎ（ｎ−１）］を引いた差［Ｎ（ｎ）−Ｎ（ｎ−１）］を取得し、前記後の燃焼音［Ｎ（ｎ）］が所定判定値以上且つ前記差［Ｎ（ｎ）−Ｎ（ｎ−１）］が正又はゼロであれば前記最小噴射量を減量更新せず、前記後の燃焼音［Ｎ（ｎ）］が所定判定値未満又は前記差［Ｎ（ｎ）−Ｎ（ｎ−１）］が負であれば前記最小噴射量を減量更新する構成を採用することができる。
【００１５】
また、前記副噴射の噴射量が所定限界値に至れば前記変化挙動の情報の取得を終了する構成を採用することができる。前記所定限界値は、例えば、噴射量ゼロとすることができる。
【００１６】
これらの各構成における前記燃焼情報取得手段は筒内圧検知手段と圧力騒音変換手段であり、前記筒内圧検知手段が取得した前記燃焼室の筒内圧を前記圧力騒音変換手段が前記燃焼音の情報に変換する構成を採用することができる。
【発明の効果】
【００１７】
１サイクル中においてメイン噴射よりも前に行う副噴射の噴射量を初期値から減量している間の燃焼音の変化挙動の情報に基づいて燃料噴射弁が噴射し得る最小噴射量を決定するようにしたので、燃料噴射弁の噴射量に関する個体差を適切に把握し噴射量の補正を行うことができる。
【図面の簡単な説明】
【００１８】
【図１】この発明の一実施形態のエンジンの構成を示す模式図である。
【図２】この発明の制御を示すフローチャートである。
【図３】（ａ）（ｂ）は、この発明の制御を示すグラフ図である。
【発明を実施するための形態】
【００１９】
この発明の実施形態を、図面に基づいて説明する。図１は、この発明のエンジンＥ及びエンジンＥの制御装置の構成を示す全体図である。エンジンＥは、圧縮自己着火式エンジンであるディーゼルエンジンである。
【００２０】
エンジンＥの構成は、ピストン１１を収容したシリンダの燃焼室１２内に吸気を送り込む吸気通路１、燃焼室１２から引き出された排気通路２、燃焼室１２内に臨む燃料噴射弁（インジェクタ）１３等を備えている。吸気通路１の燃焼室１２への開口である吸気ポート、及び、排気通路２の燃焼室１２への開口である排気ポートは、それぞれバルブによって開閉される。
【００２１】
吸気通路１には、吸気ポートから上流側に向かって、吸気通路１の流路面積を調節するスロットルバルブ２５、吸気通路１を流れる吸気を冷却する吸気冷却装置（インタークーラ）６、ターボチャージャのコンプレッサ１７、吸気通路１の流路面積を調節するスロットルバルブ２２、エアクリーナを収容したケース１８等が設けられる。エアクリーナケース１８内には、大気温度検出装置１９として管内の吸気温度を検出できる温度センサが設けられている。
【００２２】
排気通路２には、排気ポートから下流側に向かって、ターボチャージャのタービン７、排気中の窒素酸化物（ＮＯｘ）等を除去する触媒等を備えた排気浄化部８、消音器（マフラ）９が設けられる。
【００２３】
排気通路２のタービン７と排気ポートとの間と、吸気通路１の吸気ポートとスロットルバルブ２５の間とは、高圧排気ガス再循環装置を構成する高圧排気還流通路２３によって連通している。高圧排気還流通路２３を介して、燃焼室１２から排出される排気ガスの一部が、還流ガスとして吸気通路１に還流する。高圧排気還流通路２３に設けられた高圧排気還流弁２４の開閉とスロットルバルブ２５の開閉に伴う吸気通路１内の圧力状態に応じて、還流ガスが吸気通路１内の吸気に合流する。
【００２４】
また、排気通路２の排気浄化部８と消音器９との間と、吸気通路１のコンプレッサ１７とスロットルバルブ２２の間とは、低圧排気ガス再循環装置を構成する低圧排気還流通路２０によって連通している。低圧排気還流通路２０には、還流ガスを冷却する還流ガスクーラ１０が設けられている。低圧排気還流通路２０を介して、燃焼室１２から排出される排気ガスの一部が、還流ガスとして吸気通路１のインタークーラ６の上流側に還流する。低圧排気還流通路２０に設けられた低圧排気還流弁２１の開閉とスロットルバルブ２２の開閉に伴う吸気通路１内の圧力状態に応じて、還流ガスが吸気通路１内の吸気に合流する。
【００２５】
このエンジンＥへの燃料や空気の供給、バルブの開閉、その他の制御は、エンジンＥを搭載する車両が備える電子制御ユニット（Ｅｌｅｃｔｒｏｎｉｃ  Ｃｏｎｔｒｏｌ  Ｕｎｉｔ）３０が行っている。
【００２６】
電子制御ユニット３０は、燃料噴射弁１３を制御する燃料噴射制御手段３１を備える。また、電子制御ユニット３０は、燃焼室１２からの燃焼音の情報を検出する燃焼情報取得手段３２又はその燃焼情報取得手段３２の一部を備える。さらに、電子制御ユニット３０は、燃焼情報取得手段３２により取得された燃焼音の情報と燃料噴射制御手段３１により指示された燃料の噴射量を記憶する燃焼記憶制御手段３３とを備える。
【００２７】
燃料噴射制御手段３１は、燃料噴射弁１３による通常の燃料噴射の制御を行うほか、燃料噴射弁１３の燃料噴射量に係る個体差を学習するための燃料噴射の制御も行う。学習された個体差は、その後の燃料噴射の制御に活用される。
【００２８】
燃料噴射制御手段３１は、通常の燃料噴射の制御及び学習用の燃料噴射の制御において、燃料噴射弁１３に対して１サイクル中における主たる燃料噴射であるメイン噴射よりも進角した時期に行う微小噴射である副噴射を行う指示を行うことができる。この実施形態では、微小噴射からなる副噴射として、メイン噴射よりも大きく進角した時期に行うパイロット噴射を採用しているが、これを、メイン噴射の直前に行うプレ噴射等としてもよい。
【００２９】
燃焼情報取得手段３２は、エンジンＥのシリンダに設けられた筒内圧検知手段１４と、電子制御ユニット３０が備える圧力騒音変換手段３４とで構成される。筒内圧検知手段１４は、燃焼室１２内に臨んで設けられ、その燃焼室１２内の圧力を検知することができる。筒内圧検知手段１４が取得した燃焼室の筒内圧は、圧力騒音変換手段３４による周波数解析によって燃焼音の大きさの情報に変換される。
【００３０】
燃焼室１２の筒内圧を燃焼音の大きさに変換する手法としては、例えば、取得された筒内圧信号をフーリエ変換によって特定の単位に分割して燃焼音のパワー（パワースペクトル）を求めるとともに、そのパワースペクトルを基に、所定の数値変換とフィルタ処理を経て、燃焼音の大きさ（ノイズレベル）を算定することができる。
【００３１】
なお、この燃焼情報取得手段３２として、筒内圧検知手段１４に代えてエンジンＥのシリンダに設けられた集音マイクを採用してもよい。集音マイクは、シリンダ内又はシリンダ外に設けられ、燃焼音の大きさの情報を直接取得する。このため、圧力騒音変換手段３４を不要とできる。
【００３２】
この燃焼音の評価は、特定の周波数域の燃焼音のみで評価することもできる。例えば、対象とする周波数域を、１〜４ＫＨｚとすることができる。
【００３３】
学習用の燃料噴射の制御において、燃料噴射制御手段３１は、副噴射の噴射量を初期値ｆ０から徐々に減量していく制御を行う。この減量制御の際に、燃焼情報取得手段３２は、副噴射の噴射量を初期値ｆ０から減量している間に、燃焼音の変化挙動の情報、すなわち、燃焼音の大きさ（ノイズレベル）の変化を取得する。この情報の取得は、副噴射の噴射量を減量する毎に行うので、個々の噴射量の情報に対応して、燃焼音の大きさの情報が存在することになる。
【００３４】
なお、減量制御の期間中、継続して燃焼音の変化挙動の情報を連続的に取得しておき、その中から特定の燃料噴射量に対応する燃焼音の大きさの情報を抽出する手法を採用してもよい。
【００３５】
燃焼記憶制御手段３３は、取得した燃焼音の変化挙動の情報に基づき、燃料噴射弁１３が噴射し得る最小噴射量ｆｓを決定する。この実施形態では、燃焼記憶制御手段３３は、取得した燃焼音の変化挙動の情報から、燃焼音の大きさが最低となった際の副噴射の噴射量を、最小噴射量ｆｓとして決定する。
【００３６】
ここで、燃料噴射弁１３の最小噴射量ｆｓとは、その燃料噴射弁１３、すなわちインジェクタによって燃料を噴射する際の噴射量の最小単位である。つまり、燃料を噴射する際には、その最小噴射量ｆｓ未満にはできないという噴射量の下限値である。
【００３７】
一般に、燃料噴射弁１３は、通電により内部のソレノイド、プランジャ等が作動することにより弁装置が開弁し、先端のノズルから燃料を噴射する。このため、燃料噴射弁１３に通電が成されていない場合は燃料噴射が行われず、通電が開始されると燃料噴射が開始される。また、燃料噴射弁１３への通電を遮断すると燃料噴射が終了する。したがって、燃料噴射弁１３へ通電させる時期により、燃料噴射時期が制御される。また、その通電時間（電気信号のパルス幅）により、燃料噴射量が制御される。燃料噴射弁１３への通電・通電遮断をエンジンＥの１サイクル中に繰り返すことにより、パイロット噴射、プレ噴射等の副噴射と、主たる燃料噴射であるメイン噴射とを両立する多段噴射を実行することができる。
【００３８】
最小噴射量ｆｓの決定は、電子制御ユニット３０から燃料噴射弁１３への駆動指示継続時間、すなわち、燃料噴射弁１３への通電時間（電気信号のパルス幅）を設定することにより行われる。また、その通電時間に基づく燃料噴射弁１３の噴射期間は、噴射量から噴射期間への変換マップを用いて算出することができる。
【００３９】
特に、ディーゼルエンジン等の圧縮自己着火式エンジンにおいて、メイン噴射に対して進角した時期に副噴射としての微小噴射を行う場合、インジェクタの噴射量には、より高精度な設定が要求される。インジェクタの噴射量が正確でないと、副噴射として行う微小噴射の噴射量が厳格に管理できないので、エンジンの騒音の増加や排ガスの悪化を招くので好ましくない。このため、このような燃料噴射弁１３の最小噴射量ｆｓの修正が有効である。
【００４０】
例えば、学習制御により、最小噴射量ｆｓが「３」から「２」に修正されたとする。この場合、噴射量「２」の噴射期間で初期適合値の「３」を噴射しているとみなし、以降、指示噴射量から求められる噴射期間を（２÷３）倍することで、元来の噴射量となるよう噴射期間を補正できる。
【００４１】
この発明の制御の流れを、図２のフローチャートに基づいて説明する。
【００４２】
図２のステップＳ１において、噴射量学習制御を開始する。この学習用の燃料噴射の制御は、エンジンを搭載した車両の組立ラインオフ時や、その後の車両の使用時において定期的に行われる。
【００４３】
ステップＳ２では、副噴射（パイロット噴射）における燃料の噴射量を、初期値ｆ０に設定する。このとき、最小噴射量ｆｓが初期値ｆ０である。この初期値ｆ０は、例えば、前述の車両の組立ラインオフ時に設定される設計値とすることができる（図３（ａ）の符号ａ参照）。
【００４４】
ステップＳ３では、燃焼音の大きさの情報である騒音レベルＮが取得される。そして、つづくステップＳ４では、副噴射における燃料の噴射量を、減量させる制御が行われる。その減量幅は、適宜設定することができるが、ここでは、その減少幅を微小なｄＱｐｉとしている。したがって、減量された後の噴射量Ｑｐｉ（ｎ）と、減量される前の噴射量Ｑｐｉ（ｎ−１）との関係において、
Ｑｐｉ（ｎ）＝Ｑｐｉ（ｎ−１）−ｄＱｐｉ
となる。
【００４５】
ステップＳ５では、副噴射における燃料の噴射量を減量させた後、再度、燃焼音の大きさの情報である騒音レベルＮが取得される。
【００４６】
ステップＳ６では、燃料の噴射量が減量された後の燃焼音［Ｎ（ｎ）］から、減量される前の燃焼音［Ｎ（ｎ−１）］を引いた差［Ｎ（ｎ）−Ｎ（ｎ−１）］を取得する。
【００４７】
このステップＳ６において、減量された後の燃焼音［Ｎ（ｎ）］が所定判定値ｎ０以上、且つ、差［Ｎ（ｎ）−Ｎ（ｎ−１）］が正又はゼロであれば、最小噴射量ｆｓを減量更新せず、ステップＳ８へ移行する。また、減量された後の燃焼音［Ｎ（ｎ）］が所定判定値ｎ０未満、又は、差［Ｎ（ｎ）−Ｎ（ｎ−１）］が負であれば、ステップＳ７で最小噴射量ｆｓを減量更新して、ステップＳ８へ移行する。ここで、最小噴射量ｆｓは、減量された後の燃焼音［Ｎ（ｎ）］に対応する減量された後の噴射量Ｑｐｉ（ｎ）に設定される。
【００４８】
所定判定値ｎ０は、エンジンＥにおける燃焼室１２内の燃焼が安定していると判断できるのに充分な数値に設定される。燃焼が安定していなければ、燃焼音の大きさが大きくなるので、その燃焼音は所定判定値ｎ０よりも大きくなる。
【００４９】
ただし、所定判定値ｎ０は、エンジンＥの温度、例えば、冷却水の温度が低い場合はより低く設定されることが望ましい。エンジンＥの温度が低ければ、燃焼室１２内における燃料の燃焼が緩慢になる傾向があり、それを抑制するための進角制御等の回避制御を行わない限り、燃焼音は低下するからである。
【００５０】
このステップＳ４〜ステップＳ７までの制御が、副噴射における燃料の噴射量が、所定限界値ｆ１に至るまで行われる。すなわち、ステップＳ８では、副噴射における燃料の噴射量が、所定限界値ｆ１に至れば、燃料の噴射量の減量と燃焼音の大きさの情報の取得を終了する。副噴射における燃料の噴射量が、所定限界値ｆ１に至っていなければ、再度、ステップＳ４へ戻り、燃料の噴射量の減量と燃焼音の大きさの情報の取得を継続する。
【００５１】
ここで、所定限界値ｆ１は、例えば、それ以上減量することができない最小噴射量ｆｓの限界値、すなわち、燃料噴射弁１３への通電時間（電気信号のパルス幅）と、それに対応する燃料噴射量が適切に制御できる領域の最小値に設定することができる。ただし、この所定限界値ｆ１を、噴射量ゼロに設定することも可能である。
【００５２】
副噴射における燃料の噴射量が所定限界値ｆ１に至り、燃料の噴射量の減量と燃焼音の大きさの情報の取得を終了すると、最小噴射量ｆｓは、多数回に亘る減量更新を経て、燃焼音の大きさが所定判定値ｎ０を下回る領域のうち、副噴射における燃料の噴射量が最も小さい噴射量に設定されている（図３（ａ）の符号ｃ参照）。ステップＳ９では、その決定された最小噴射量ｆｓが電子制御ユニット３０に記憶され、その後の制御に用いられる。
【００５３】
図３（ａ）の符号ｃに示す最小噴射量ｆｓが設定されると、図３（ｂ）の符号ｃに示すように、スモークの発生を最小限に抑えることができる。なお、図３（ａ）、（ｂ）の符号ｂは、初期値ｆ０と最小噴射量ｆｓとの間の中間値である。
【００５４】
上記の制御では、燃焼記憶制御手段３３は、取得した燃焼音の変化挙動の情報から、燃焼音の大きさが所定判定値ｎ０を下回る領域のうち、副噴射における燃料の噴射量が最も小さい噴射量を最小噴射量ｆｓとして決定したが、最小噴射量ｆｓは、他の手法、例えば、以下のように設定してもよい。
【００５５】
すなわち、副噴射における燃料の噴射量が所定限界値ｆ１に至り、燃料の噴射量の減量と燃焼音の大きさの情報の取得を終了した際に、最小噴射量ｆｓは、多数回に亘る減量更新を経て、燃焼音の大きさが最低となった際の副噴射の噴射量に設定してもよい。図３（ａ）のグラフにおける燃焼音の最低値に相当する副噴射の噴射量を、最小噴射量ｆｓに設定する手法である。
【００５６】
この場合、図２のフローチャートにおいて、ステップＳ６において、減量された後の燃焼音［Ｎ（ｎ）］が所定判定値ｎ０以上、又は、差［Ｎ（ｎ）−Ｎ（ｎ−１）］が正又はゼロであれば、最小噴射量ｆｓを減量更新せずにステップＳ８へ移行し、また、減量された後の燃焼音［Ｎ（ｎ）］が所定判定値ｎ０未満、且つ、差［Ｎ（ｎ）−Ｎ（ｎ−１）］が負であれば、ステップＳ７で最小噴射量ｆｓを減量更新して、ステップＳ８へ移行する構成とすればよい。
【符号の説明】
【００５７】
１  吸気通路
２  排気通路
２０  低圧排気還流通路
２１，２４  排気還流弁
２２，２５  スロットルバルブ
２３  高圧排気還流通路
６  吸気冷却装置（インタークーラ）
７  タービン
８  排気浄化部
９  消音器
１０  還流ガスクーラ
１１  ピストン
１２  燃焼室
１３  燃料噴射弁（インジェクタ）
１４  筒内圧検知手段
１７  コンプレッサ
３０  電子制御ユニット
３１  燃料噴射制御手段
３２  燃焼情報取得手段
３３  燃焼記憶制御手段
３４  圧力騒音変換手段
【図１】
2017020436.tif 000003
【図２】
2017020436.tif 000004
【図３】
2017020436.tif 000005